(57)【要約】【課題】マルチメディアの内容を知るための情報を使用者の指向に応じて簡単に検索することができるようにする。【解決手段】マルチメディアの内容を知るための情報を含む使用者の嗜好度を記述するための使用者プロファイルを記述する方法である。使用者プロファイル用の使用者の嗜好度情報を準備して、その使用者の嗜好度情報にブラウジング情報を組み込む。ブラウジング情報はマルチメディアデータの種類によって異なるように記述される少なくとも一つのブラウジング基準と、そのブラウジング基準のそれぞれに割り当てられた相対的優先度すなわち加重値を指示する嗜好度値とを含む。【選択図】図６
2005063462.tif 000002
【特許請求の範囲】
【請求項１】
マルチメディアの内容へのアクセスとナビゲーションを含む使用者の嗜好度を記述するための使用者プロファイルを記述する方法であって、
使用者プロファイル用の使用者の嗜好度情報を準備するステップと、
その使用者の嗜好度情報にブラウジング情報を組み込むステップとを有し、前記ブラウジング情報はマルチメディアデータの種類によって異なるように記述される少なくとも一つのブラウジング基準と、そのブラウジング基準のそれぞれに割り当てられた相対的優先度すなわち加重値を指示する嗜好度値とを含むことを特徴とする方法。
【請求項２】
マルチメディアの内容へのアクセスとナビゲーションを含む使用者の嗜好度を記述する方法であって、
マルチメディアの種類に基づいて複数の要旨嗜好度を記述するステップを有し、その嗜好度の値が前記要旨嗜好度に割り当てられた相対的優先度すなわち加重値を示すことを特徴とする方法。
【請求項３】
マルチメディアの内容へのアクセスとナビゲーションを含む使用者の嗜好度を記述するために使用される構造であって、
マルチメディアの種類に基づいた複数の要旨嗜好度を有し、その嗜好度の値が前記要旨嗜好度に割り当てられた相対的優先度すなわち加重値を示すことを特徴とする方法。
【発明の詳細な説明】
【技術分野】
【０００１】
本発明は、マルチメディアデータのブラウジングのための使用者プロファイル情報構造及びそれを利用したマルチメディアデータのブラウジング方法に係るもので、詳しくは、使用者がマルチメディアデータをブラウジングするとき、使用者が好むブラウジング方法を使用者プロファイルに含ませ、そのプロファイルに含まれた使用者嗜好ブラウジング情報を利用して使用者の嗜好度に合わせたマルチメディアブラウジングを提供することができる内容ベースのマルチメディアデータの検索及びブラウジングシステムに関するものである。
【背景技術】
【０００２】
マルチメディアデータを検索し、ブラウジングを実施する際、使用者の嗜好を反映させてマルチメディアデータをディスプレーする技術が紹介されている。
【０００３】
一般に、使用者の嗜好を反映するマルチメディアデータを検索するとき、及び使用者の嗜好を反映させてブラウジングシステムを利用してインターネットショッピングを行うとき、インターネットショッピングに使用される数多くの情報項目を全てディスプレーせず、使用者毎に使用者プロファイル（Profile）に格納された好みの項目のみを選定して各製品毎に異なるようにディスプレーする方法が利用される。
【０００４】
例えば、インターネットショッピングモールを利用して電子製品を検索するとき、使用者Ａは価格及び仕様情報のみを、使用者Ｂはデザイン情報のみを、使用者Ｃは特定メーカーの製品情報のみを、それぞれ主に利用すると仮定する。その場合、各使用者毎に各々の使用者プロファイルとして上記した使用者の好みによる嗜好度情報を与え、嗜好度情報から、価格及び仕様情報のみを利用する使用者Ａの場合は、写真などの他の情報をも一緒に提供されても、価格及び仕様情報だけで構成された情報をディスプレーするようにし、デザイン情報を好む使用者Ｂの場合は、デザイン（写真）情報を主にディスプレーするなどの方法によって、使用者の嗜好に合わせて各使用者毎に情報をディスプレーする。
【０００５】
従来の使用者嗜好度を反映したマルチメディアデータ検索及びブラウジングシステムの他の例として、コンピュータなどのターミナルデスクトップ・インタフェースを使用者毎に使用者が所望する形態として提供するための技術も紹介されている。
【０００６】
即ち、使用者プロファイル等にその使用者が好む（又は、指定する）ターミナルデスクトップ・インタフェースを記録しておき、使用者が使用するときは、該当使用者のプロファイルに格納されたインタフェース形態で提供する。
【０００７】
又、従来の使用者嗜好度を反映したマルチメディアデータ検索及びブラウジングシステムの他の例として、ヘルプ情報を使用して使用者の使用パターンを記録しておき、使用者が使いやすい（好む）形態で各使用者毎にヘルプをディスプレーする技術が紹介されている。
【０００８】
即ち、ヘルプ項目タイプ情報の階層的構造において、使用者毎に、自分の好みに合わせて項目の深さ（レベル）を指定してディスプレーするものである。
上述した従来の使用者嗜好度（使用パターン）を考慮した多くの技術は、全てが現在の制限されたアプリケーションにおいて、部分的な使用者の嗜好度を反映しているにすぎない。
【発明の開示】
【発明が解決しようとする課題】
【０００９】
然るに、このような従来の内容ベースのマルチメディアデータ検索及びブラウジングシステムにおいては、マルチメディアデータを内容ベースでインデクシングして、ブラウジング又は検索可能な多様な描写情報（Description Scheme：ＤＳ）をデータ内に記述してあるため、それら描写情報を利用した多様なブラウジング方法が可能であるが、使用者はそれらの方法を全て同時に使用することができず、一般的には、与えられた環境内で提供される一部のブラウジング方法のみを手動で使用するしかないという不都合な点があった。
【００１０】
即ち、内容ベースのマルチメディアデータ検索及びブラウジングを行うための多様なブラウザーの内、使用者が特に好むブラウザーがあり、又、マルチメディアデータの種類別にもそれぞれ好むブラウザーが存在するが、これらの情報の維持管理が行われていないため、使用者は多様な選択の権利を享受することができず、与えられた環境下で制限的に提供される一部のブラウザーで満足するしかないという不都合な点があった。
【００１１】
本発明は、このような従来の不都合に鑑みてなされたもので、マルチメディアデータ検索及びブラウジングを使用者が好むブラウジング形態で実行し得る使用者プロファイル情報構造及びそれを利用したマルチメディア・ブラウジング方法を提供することを目的とする。
【課題を解決するための手段】
【００１２】
このような目的を達成するため、本発明に係る使用者プロファイル情報構造及びそれを利用したマルチメディア・ブラウジング方法においては、マルチメディアデータ検索及びブラウジングを使用者が好むブラウジング形態で実行し得ることを特徴とする。
【００１３】
また、本発明に係る使用者プロファイル情報構造及びそれを利用したマルチメディア・ブラウジング方法においては、マルチメディアデータ検索及びブラウジングを行う際、使用者が好むブラウジング方法を使用者プロファイル情報構造に包含させておき、このような使用者プロファイル情報を利用して特定のマルチメディアデータのブラウジングを行うとき、そのマルチメディアデータに対して使用者が嗜好するブラウジング形態にマルチメディア情報をディスプレーすることを特徴とする。
【００１４】
さらに、本発明に係る使用者プロファイル情報構造及びそれを利用したマルチメディア・ブラウジング方法においては、使用者プロファイルから使用者が嗜好するブラウジング方法を確認し、該当ブラウジング方法を提供するアプリケーションが複数存在するときは、使用者嗜好度に従ってアプリケーション（又はブラウザー）を指定することが可能で、一方、アプリケーションが存在しないときは、他の指定された所から該当サービスを満足するアプリケーションをダウンロードして使用者に提供し得ることを特徴とする。
【００１５】
さらに、本発明に係る使用者プロファイル情報構造及びそれを利用したマルチメディア・ブラウジング方法においては、内容ベースのマルチメディア・ブラウジングにおいて、使用者が好むマルチメディアブラウジング情報を使用者毎に提供するように使用者が好むブラウジングのためのアプリケーション情報を使用者プロファイルに包含させることを特徴とする。
【００１６】
前記使用者プロファイルに格納される使用者が好むアプリケーション情報は、アプリケーションＩＤ若しくはアプリケーションロケーターである。
【００１７】
前記使用者プロファイルに格納される使用者が好むアプリケーション情報には、アプリケーションＩＤ若しくはアプリケーションロケーターと一緒に、各アプリケーションのレイアウト情報が追加的に含まれている。
【００１８】
前記使用者プロファイルに格納される使用者が好むアプリケーション情報は複数であり、それらのアプリケーション情報毎に使用者の嗜好度を反映した加重値情報が追加的に含まれている。
【００１９】
前記使用者プロファイルに格納される使用者が好むアプリケーション情報は、マルチメディアデータ客体の種類（タイプ又はジャンル）によってそれぞれ異なる複数のアプリケーション情報であり、それらアプリケーション情報毎に下位階層として複数のアプリケーション情報がさらに包含され、それぞれの下位アプリケーション情報に対して使用者嗜好度を反映する加重値情報が追加的に含まれている。
【００２０】
本発明に係る使用者プロファイル情報構造及びそれを利用したマルチメディア・ブラウジング方法においては、
内容ベースのマルチメディア・ブラウジングで使用者が好むマルチメディアブラウジング情報を使用者毎に提供する際に、
（ａ）マルチメディアデータに、データストリームと一緒に内容としてマルチメディアをインデクシング／ブラウジングし得る内容描写情報を含め、
（ｂ）使用者が嗜好するブラウジングを行うためのアプリケーション情報として、マルチメディアブラウジング方法又はブラウジング基準を指示する使用者嗜好度情報を使用者プロファイルを含め、
（ｃ）使用者がマルチメディアブラウジングを希望する場合、該当使用者のプロファイルから使用者が嗜好するブラウジングを行うためのアプリケーションを解釈してマルチメディアデータをブラウジングすることを特徴とする。
【００２１】
前記使用者が嗜好するマルチメディア・ブラウジング方法又はブラウジング基準は、マルチメディアデータのタイプ又はジャンル等のマルチメディアデータの種類によってそれぞれ異なるように記述され、各々の使用者が嗜好するブラウジング方法又はブラウジング基準を指示する情報を利用して該当マルチメディア客体に対するブラウジングを実行することを特徴とする。
【００２２】
前記使用者が嗜好するマルチメディアブラウジング方法又はブラウジング基準としては、人物中心のブラウザー、人物−場所関係中心のブラウザー、時間順による場面中心のブラウザーの各々、若しくは、それらの組合せにより表現されることを特徴とする。
【００２３】
前記マルチメディアデータの種類によって異なるように記述されるブラウジング方法又はブラウジング基準は、１つの種類に対して少なくとも１つ以上に記述され、各々のブラウジング方法又はブラウジング基準に対して加重値を与え、その加重値から使用者嗜好アプリケーションを解釈することを特徴とする。
【００２４】
前記使用者が嗜好するマルチメディアブラウジング方法又はブラウジング基準を反映して該当マルチメディア客体をディスプレーするとき、使用者が嗜好するマルチメディアブラウジング方法又はブラウジング基準を満足するアプリケーションを、該当アプリケーションのロケーター情報を利用して実行することを特徴とする。
【００２５】
前記使用者が嗜好するマルチメディアブラウジング方法又はブラウジング基準を反映して該当マルチメディアデータをディスプレーするとき、現在のターミナルに使用者が嗜好するマルチメディアブラウジング方法又はブラウジング基準を満足するアプリケーションが複数存在する場合、その中から適当な（又は使用者が嗜好する）アプリケーションを選択するためにアプリケーション又はブラウザーのロケーターが含まれ、そのアプリケーション又はブラウザーのロケーターが指示するアプリケーションを選択してマルチメディア客体をディスプレーすることを特徴とする。
【発明の効果】
【００２６】
以上説明したように、本発明に係る使用者プロファイル情報構造及びそれを利用したブラウジング方法においては、内容ベースの動映像検索及びブラウジングを実施する際、使用者が好むブラウジング方法（アプリケーション）を該当マルチメディア客体別に提供することができるため、使用者が選択するマルチメディア客体に対して使用者が好むブラウザー（アプリケーション）を利用して該当マルチメディア客体をディスプレーすることができるという効果がある。
【００２７】
さらに、本発明に係る使用者プロファイル情報構造及びそれを利用したブラウジング方法においては、少なくとも、使用者が好むブラウジング方法（アプリケーション）と同様であるか、若しくは、それに近いブラウザーを使用して該当マルチメディア客体を検索及びブラウジングするため、内容をベースとしてマルチメディアデータを検索又はブラウジングするとき、使用者が使いやすく、非常に使用者適応的な検索及びブラウジング環境を提供することができるという効果がある。
【発明を実施するための最良の形態】
【００２８】
以下、本発明の実施の形態に対し、図面を用いて説明する。
本実施形態が適用されるマルチメディアデータ・サービスシステムは、図１に示したように、マルチメディア客体１０１とターミナル１０２とにより構成されている。マルチメディア客体１０１は、内容ベースの検索／ブラウジングのための内容描写情報（Content Description）１０１ａ及びデータストリーム１０１ｂを有する。一方、ターミナル１０２は、内容ベースのマルチメディアデータ検索及びブラウジング制御を遂行するための中央処理装置（ＣＰＵ）１０３と、各種データを格納するためのメモリ１０４と、マルチメディアデータの検索及びブラウジングに関する諸情報をディスプレーするためのディスプレー装置１０５と、使用者プロファイル情報を読み出すための使用者プロファイルリーダ１０６と、使用者プロファイル１０７とから構成されている。
【００２９】
使用者プロファイルリーダ１０６は、使用者プロファイル１０７に記述される情報を更新して記録（使用者のフィードバックを反映して）するための書込機能を持つことこともできる。
使用者プロファイル１０７は、スマートカードのような形態で情報を記録、格納する移動可能な媒体であり、使用者が好むブラウジング方法又はブラウジング基準が格納されており、これらは学習によって更新することができる。
【００３０】
使用者プロファイル１０７に収録された情報が使用者プロファイルリーダ１０６によって読み出されてメモり１０４にダウンロードされると、中央処理装置１０３は、メモリ１０４にダウンロードされた使用者プロファイル情報を解読して、使用者が所望するブラウジング方法又はブラウジング基準に合わせてディスプレー装置１０５を利用してマルチメディア客体１０１をブラウジングする。
【００３１】
本実施形態に適用される内容ベースの検索／ブラウジングのためのマルチメディア客体の描写情報の構造は、図２に示したように、オーディオ及びビデオマルチメディア描写情報（Audio Visual Description Scheme）２０１に構造情報（Syntatic ＤＳ）２０２と意味情報（Semantic ＤＳ）２０３が含まれている。構造情報２０２としては、セグメント情報（Segment ＤＳ）２０４、領域情報（Region ＤＳ）２０５及びセグメントと領域の関係情報（Segment/Region Relational Graph DS）２０６が包含され、意味情報２０３としては、事件情報（Event ＤＳ）２０７、オブジェクト情報（Object ＤＳ）２０８及び事件とオブジェクトの関係情報（Event/Object Relational Graph ＤＳ）２０９が含まれている。
【００３２】
構造情報２０２は、マルチメディアデータの物理的な構造を描写するもので、実際には、マルチメディアデータストリームのセグメント、領域、及びそれらの関係（リンク）情報を有し、マルチメディアデータの該当区間又は場面に対する検索及びブラウジングが可能になる。
【００３３】
意味情報２０３は、マルチメディアデータの意味的構造を描写するもので、マルチメディア客体、例えば、ドラマのような動映像の場合は、ドラマの展開に関連した事件やオブジェクト（登場人物、場所など）、事件、登場人物、場所の相互関係などを記述して、マルチメディアデータの内容ベースの検索及びブラウジングが可能になる。
【００３４】
なお、内容ベースのマルチメディアデータ検索及びブラウジングのためのマルチメディア客体の描写情報の構造は、図２に示されたものに制限されず、より効率的なブラウジングを行うために様々な形態に変形された構造とすることもできる。
【００３５】
また、本実施形態に係る内容ベースのマルチメディア・ブラウジングのための使用者プロファイル情報構造の第１実施形態においては、図３に示したように、ブラウジング情報（Data Browsing）３０１として、データタイプ(Data Type）３０２と使用者嗜好ブラウジング情報（Browsing Preference）３０３が含まれている。このようなブラウジング情報構造は、各マルチメディア客体のタイプ又はジャンル別に構成することができる。
【００３６】
データタイプ３０２とは使用者嗜好ブラウジング情報３０３を意味するもので、使用者嗜好ブラウジング情報３０３としては、使用者嗜好を満足するアプリケーションとしてのブラウザー情報３０８及び、ブラウジング方法又はブラウジング基準を描写する機能描写情報（Functionality）３０４が含まれている。
【００３７】
ブラウジング方法又はブラウジング基準を描写する機能描写情報３０４としては、該当ブラウザーを連結するためのブラウザー連結情報（reference to browser）３０５、ブラウザーを選択するための機能情報（Function）３０６及び該当加重値を描写するための加重値情報（Weight）３０７が含まれている。
【００３８】
アプリケーション情報３０８としては、該当ブラウザーに対する加重値情報３０９、ロケーター情報（Locator）３１０及びブラウジング方法又はブラウジング基準を描写する情報との連結情報（Reference to Functionality）３１１が含まれている。
【００３９】
従って、このような使用者嗜好ブラウジング方法（又はブラウジング基準）に関する情報を有する使用者プロファイルを利用して、図に示されたシステムから使用者が好むブラウジング方法又はブラウジング基準に合わせて特定のマルチメディア客体をディスプレーすることが可能になる。
【００４０】
即ち、使用者プロファイル情報を反映して使用者がマルチメディア客体をディスプレーしようとするとき、該当客体に対して使用者が好むブラウジング方法又はブラウジング基準を描写する各情報３０４〜３０７を満足するか、又は、各アプリケーション描写情報３０８〜３１１に描写された該当アプリケーション（ブラウザー）をターミナルから検索する。
【００４１】
もし、該当アプリケーションがターミナルに存在する場合は、それを使用してマルチメディアデータをディスプレーするが、該当アプリケーションがターミナルに存在しない場合は、ロケーター情報３１０を使用して該当アプリケーションをダウンロードして使用する。
【００４２】
なお、アプリケーション情報に含まれたアプリケーション（ブラウザー等）は１つ又はそれ以上として構成することも可能で、もし、複数である場合は、各々のアプリケーションに対して使用者嗜好度を反映（使用者フィードバック／使用者の特定ブラウザーの使用パターン）して学習した加重値情報３０９を利用して、使用者が好むアプリケーションを使用する。
【００４３】
本実施形態に係る内容ベースのマルチメディア・ブラウジングのための使用者プロファイル情報構造の第２実施形態においては、図４に示したように、データブラウジング情報４０１として、データタイプ４０２及び使用者嗜好ブラウジング情報４０３が含まれる。このようなブラウジング情報構造は、各マルチメディア客体のタイプ又はジャンル別に区分することができる。
【００４４】
データタイプ４０２とは使用者嗜好ブラウジング情報４０３を意味するもので、その使用者嗜好ブラウジング情報４０３としては、使用者嗜好を満足するアプリケーションとしてのブラウザー情報４０８、ブラウジング方法又はブラウジング基準を描写する機能描写情報４０４、及びブラウザーのレイアウト情報４１３が含まれている。
【００４５】
ブラウジング方法又はブラウジング基準を描写する機能描写情報４０４としては、該当ブラウザーを連結するためのブラウザー連結情報４０５、ブラウザーを選択するための機能情報４０６及び該当加重値を描写するための加重値情報４０７が含まれている。
【００４６】
ブラウザー情報であるアプリケーション情報４０８としては、該当ブラウザーに対する加重値情報４０９、ロケーター情報４１０、ブラウジング方法又はブラウジング基準を描写する情報との連結情報４１１、及びレイアウトのための連結情報４１２が含まれている。
【００４７】
レイアウト情報４１３としては、レイアウトに対する加重値情報４１４、レイアウト４１５及び該当レイアウトのためのブラウザーとの連結情報４１６が含まれている。
【００４８】
従って、このような使用者嗜好ブラウジング方法（又はブラウジング基準）に関する情報を有する使用者プロファイルを利用すると、図に示されたシステムから使用者が好むブラウジング方法又はブラウジング基準に合わせて特定のマルチメディア客体をディスプレーすることが可能になり、又、該当ブラウザーの好まれるレイアウト情報も記述することができる。
【００４９】
即ち、使用者プロファイル情報を反映して使用者がマルチメディア客体をディスプレーするとき、その客体に対して使用者が好むブラウジング方法又はブラウジング基準を描写する各情報４０４〜４０７を満足するか、又は、各アプリケーション描写情報４０８〜４１１に描写された該当アプリケーション（ブラウザー）をターミナルから検索する。このとき、レイアウト情報４１３〜４１６及びブラウザー情報内のレイアウト連結情報４１２を利用して使用者が嗜好するブラウザーのレイアウトをディスプレーさせる。
【００５０】
もし、該当アプリケーションがターミナルに存在する場合は、それを使用してマルチメディアデータをディスプレーするが、該当アプリケーションがターミナルに存在しない場合は、ロケーター情報４１０を使用して該当アプリケーションをダウンロードして使用する。
【００５１】
なお、アプリケーション情報に含まれたアプリケーション（ブラウザー等）は１つ又はそれ以上で構成することが可能で、もし、複数の場合は、各々のアプリケーションに対して使用者嗜好度を反映して学習した加重値情報４０９を利用して、使用者が好むアプリケーションを使用する。
【００５２】
即ち、本実施形態に係る内容ベースのマルチメディア・ブラウジングのための使用者プロファイル情報構造の第２実施形態を利用すると、使用者は、特定種類のマルチメディアデータによってブラウザーに対する嗜好度を記述するだけでなく、該当ブラウザーの嗜好するレイアウト情報までも記述することができる。
【００５３】
以上のような使用者プロファイル情報構造において、ブラウジング方法又はブラウジング基準を描写する情報の実施例を図５に示す。図示のように、その情報構造は、該当マルチメディア客体を人物関係中心（Character/Relation）に検索してディスプレーするための機能描写情報構造であって、ブラウジング基準となるキー項目（Basic Key Item）５０１及びキー項目のブラウジング順序情報（Order of Key Item）５０２を含む。キー項目５０１では人物（Character）及び該人物の関係（Relation）を基準５０３、５０４とするブラウジングを記述している。
【００５４】
図６に示したビデオブラウザー（使用者インタフェース）をも参照して説明すると、人物関係画面部６０１の登場人物画面部６０２に登場人物を表示し、ここで選択された関係を満足する人物−関係を人物−関係画面部６０３が表示する。
【００５５】
かつ、主要場面画面部６０４では、該当関係を満足する主要場面をキーフレーム６０４ａとして表示し、ここで選択された特定場面に対しては主画面部６０５で一層詳細にディスプレーすることができる。
【００５６】
使用者プロファイル情報構造におけるブラウジング方法又はブラウジング基準を描写する情報の他の実施例を図７に示す。図示のように、その構造は、該当マルチメディア客体を時間順序によるキーフレームを３レベルツリー構造を使用してディスプレーする機能描写情報構造である。ブラウジング基準となるキー項目（Basic Key Item）７０１及びキー項目のブラウジング順序情報（Order of Key Item）７０２が含まれている。キー項目７０１ではキーフレームを基準とするブラウジングを記述し、キー項目のブラウジング順序情報７０２では、時間順序のブラウジングを記述しており、キー項目が３レベルの深さを有する階層的構造（Depth of Key Item、Level  １＝３．．．）を有することを記述している。
【００５７】
そして、図７の機能描写情報構造を利用したビデオブラウザー（使用者インタフェース）においては、図８に示したように、キーフレーム画面部８０１はマルチメディアの内容を時間順序にキーフレームを羅列して表示し、主画面部８０２はここで選択されたキーフレームとして代表される区間を表示する。
【図面の簡単な説明】
【００５８】
【図１】本発明の実施形態が適用されるマルチメディアシステムを示した概略構成図である。
【図２】本実施形態が適用されるマルチメディア客体の内容描写情報の構造を示した例示図である。
【図３】本実施形態に係る使用者プロファイル情報構造の第１実施形態を示した図である。
【図４】本実施形態に係る使用者プロファイル情報構造の第２実施形態を示した図である。
【図５】本実施形態に係る使用者プロファイル情報構造における使用者が好むアプリケーション描写情報を示した例示図である。
【図６】本実施形態に係る使用者嗜好度を反映したブラウジングを示した例示図である。
【図７】本実施形態に係る使用者プロファイル情報構造における使用者が好むアプリケーション描写情報の他の例を示した例示図である。
【図８】本実施形態に係る使用者嗜好度を反映したブラウジングの他の例を示した例示図である。
【符号の説明】
【００５９】
１０１  マルチメディア客体、１０１ａ  内容描写情報、１０１ｂ  データストリーム、１０２    ターミナル、１０３    中央処理装置、１０４    メモリ、１０５    ディスプレー装置、１０６    使用者プロファイルリーダ、
１０７    使用者プロファイル
【図１】
2005063462.tif 000003
【図２】
2005063462.tif 000004
【図３】
2005063462.tif 000005
【図４】
2005063462.tif 000006
【図５】
2005063462.tif 000007
【図６】
2005063462.tif 000008
【図７】
2005063462.tif 000009
【図８】
2005063462.tif 000010
【手続補正書】
【提出日】平成17年1月12日(2005.1.12)
【手続補正１】
【補正対象書類名】特許請求の範囲
【補正対象項目名】全文
【補正方法】変更
【補正の内容】
【特許請求の範囲】
【請求項１】
マルチメディアの内容へのアクセスとナビゲーションを含む使用者の嗜好度を記述するための使用者プロファイルを生成する方法であって、
使用者プロファイル用の使用者の嗜好度情報を準備するステップと、
その使用者の嗜好度情報にブラウジング嗜好度情報を組み込むステップとを有し、前記ブラウジング嗜好度情報はマルチメディアの内容の種類によって異なるように記述される少なくとも一つのブラウジング基準と、そのブラウジング基準のそれぞれに割り当てられた相対的優先度すなわち加重値を指示する嗜好度値とを含むことを特徴とする方法。
【請求項２】
マルチメディアの内容へのアクセスとナビゲーションを含む使用者の嗜好度を記述する方法であって、
マルチメディアの内容の種類に基づいて複数のブラウジング嗜好度を記述するステップを有し、その嗜好度の値が前記ブラウジング嗜好度のそれぞれに割り当てられた相対的優先度すなわち加重値を示すことを特徴とする方法。
【請求項３】
マルチメディアの内容へのアクセスとナビゲーションを含む使用者の嗜好度を記述するために使用される構造であって、
マルチメディアの内容の種類に基づいた複数のブラウジング嗜好度を有し、その嗜好度の値が前記ブラウジング嗜好度に割り当てられた相対的優先度すなわち加重値を示すことを特徴とする方法。
【請求項４】
マルチメディアの内容へのアクセスとナビゲーションを含む使用者の嗜好度を記述するための使用者プロファイルを生成する方法であって、
使用者プロファイル用の使用者の嗜好度情報を準備するステップと、
その使用者の嗜好度情報にブラウジング情報を組み込むステップとを有し、前記ブラウジング情報は、マルチメディアの内容のジャンルに応じて異なるように記述され、かつ複数のブラウジング基準と、それらのブラウジング基準のそれぞれに割り当てられた相対的優先度すなわち加重値を指示する嗜好度値とを含むことを特徴とする方法。
【請求項５】
前記ブラウジング基準がマルチメデイアの内容の種類に応じて異なるように記述される請求項４記載の方法。
【請求項６】
前記使用者の嗜好度情報が複数のブラウジング情報を含み、それぞれのブラウジング情報がそれぞれに割り当てられた相対的優先度すなわち加重値を指示する嗜好度値を含む請求項４記載の方法。